(57)【要約】      （修正有）【課題】床に置かれた状態で拾い上げやすく、耐久性及び安全性が高く、軽量であるジャンボカルタ用取り札及びこれを用いたジャンボカルタを提供する。【解決手段】厚みを１ｍｍよりも厚く形成された発泡樹脂製の平板状の基板１２を有し、該基板の少なくとも一方の表面に、取り札用絵柄１４を施す。【選択図】図１
0003165233.tif 000002
【実用新案登録請求の範囲】
【請求項１】
伝統的なカルタより大きなサイズのジャンボカルタ用取り札において、
通常の紙製の取り札よりも厚みを持たせて形成された発泡樹脂製の平板状の基板を有し、
該基板の少なくとも一方の表面に、取り札用絵柄を施したことを特徴とするジャンボカルタ用取り札。
【請求項２】
前記基板が、エチレン−酢酸ビニル共重合体の発泡体で構成されたことを特徴とする請求項１に記載のジャンボカルタ用取り札。
【請求項３】
前記基板の厚みが、２〜１０ｍｍであることを特徴とする請求項１又は２に記載のジャンボカルタ用取り札。
【請求項４】
前記取り札用絵柄は、前記基板の少なくとも一方の表面に、取り札用絵柄を描いたシートを貼り付けて形成されたことを特徴とする請求項１〜３の何れか１項に記載のジャンボカルタ用取り札。
【請求項５】
請求項１〜４の何れか１項に記載のジャンボカルタ用取り札の最外面が保護フィルムにて被覆されたことを特徴とするジャンボカルタ用取り札。
【請求項６】
前記保護フィルムは、ポリプロピレンフィルムであることを特徴とする請求項５に記載のジャンボカルタ用取り札。
【請求項７】
請求項１〜６の何れか１項に記載のジャンボカルタ用取り札と、読み札とからなるジャンボカルタ。
【考案の詳細な説明】
【技術分野】
【０００１】
本考案は、体育館等で使用される通常よりも大きいジャンボカルタ用取り札及びこれを用いたジャンボカルタに関する。
【背景技術】
【０００２】
カルタは取り札を床に広げ、読み人が読み札を読み、読み札に合った取り札を早く見つけ出して手に取ることを競う遊びである。近年は、通常の手のひらサイズの取り札よりも大きい取り札を用いたカルタ（大判カルタやジャンボカルタとも呼ばれる。）を用いたカルタ遊びが知られている。
【０００３】
ジャンボカルタは、幼稚園や小学校等で体育館等の広い場所で使用されており、遊び方は通常のカルタと同様に、読み札に合った取り札を探して手に取るというものであるが、広い場所で行うため、歩いたり走ったりして取り札を探すことが通常のカルタと異なり、運動にもなるのがジャンボカルタである。ジャンボカルタは日本各地の地域で大会が開かれる等、一般市民に親しまれてきている。
【０００４】
ジャンボカルタの取り札は図４に記載のように、厚紙５２に絵や文字を書いて作製されるのが一般的である。
【先行技術文献】
【特許文献】
【０００５】
【特許文献１】実開平０６−０７７７８２
【考案の概要】
【考案が解決しようとする課題】
【０００６】
しかしながら、このような厚紙で作製した取り札は、使用しているうちに折れたり曲がったりすることがあり耐久性が十分でなかった。また、厚紙といっても、その厚さは１ｍｍ程度であるため、体育館等の床に置かれた状態の取り札を手で拾うときに、爪で取り札の縁部をひっかくようにして取らなければならず、拾い上げにくいという問題があった。
【０００７】
一方、拾い上げやすくするため、取り札の厚紙を厚くすると、重量が重くなり持ち運びに不便であるだけでなく、取り札が硬くなるため、投げられた取り札が体に当たると怪我をする可能性がある。特に、ジャンボカルタは幼児が行うことが多いため、安全で軽量であることが求められる。
【０００８】
本考案は上記事情に鑑みてなされたものであり、その目的は、床に置かれた状態で拾い上げやすく、耐久性及び安全性が高く、軽量であるジャンボカルタ用取り札及びこれを用いたジャンボカルタを提供することにある。
【課題を解決するための手段】
【０００９】
上記課題を解決するため、本考案の請求項１に記載のジャンボカルタ用取り札は、伝統的なカルタより大きなサイズのジャンボカルタ用取り札において、
通常の紙製の取り札よりも厚みを持たせて形成された発泡樹脂製の平板状の基板を有し、該基板の少なくとも一方の表面に、取り札用絵柄を施したことを特徴とする。
【００１０】
この構成のように、発泡樹脂によって基板を形成することで、取り札に厚みを持たせつつ軽量化を達成することができ、また、耐久性を高め、軟質性を持たせることができる。厚みを持たせることにより、取り札が床に置かれた状態でも容易に拾い上げることができる。また、本取り札は軽量であり軟質であるので、投げられた取り札が体や顔に当たったとしても怪我を負うことがなく、安全性を向上させることができる。
【００１１】
請求項２に記載のジャンボカルタ用取り札は、
請求項１に記載のジャンボカルタ用取り札において、前記基板が、エチレン−酢酸ビニル共重合体の発泡体で構成されたことを特徴とする。エチレン−酢酸ビニル共重合体は、低温環境下においても軟質性及び弾性に富み、紫外線により劣化しにくいので、取り札の安全性及び耐久性を更に向上させることができる。
【００１２】
請求項３に記載のジャンボカルタ用取り札は、
請求項１又は２に記載のジャンボカルタ用取り札において、前記基板の厚みが、２〜１０ｍｍであることを特徴とする。基板の厚さを上記範囲の厚さとすることにより、床に置かれた状態でも容易且つ確実に拾い上げることができる。
【００１３】
請求項４に記載のジャンボカルタ用取り札は、
請求項１〜３の何れか１項に記載のジャンボカルタ用取り札において、前記取り札用絵柄は、前記基板の少なくとも一方の表面に、取り札用絵柄を描いたシートを貼り付けて形成されたことを特徴とする。この構成によれば、絵柄を描いたシートを貼り付けるだけで絵柄を基板に施すことができるので、本発明のジャンボカルタ用取り札を容易に製造することができる。
【００１４】
請求項５に記載のジャンボカルタ用取り札は、
請求項１〜４の何れか１項に記載のジャンボカルタ用取り札の最外面が保護フィルムにて被覆されたことを特徴とする。この構成のように、保護フィルムでジャンボカルタ用取り札の最外面を被覆することにより、水に濡れても容易に拭くことができ、汚れが付着しても容易に除去することができる。
【００１５】
請求項６に記載のジャンボカルタ用取り札は、
請求項５に記載のジャンボカルタ用取り札において、前記保護フィルムは、ポリプロピレンフィルムであることを特徴とする。ポリプロピレンは、撥水性が高く、細菌やカビが繁殖しにくいので、取り札の耐久性を更に向上させることができる。
【００１６】
請求項７に記載のジャンボカルタは、
請求項１〜６の何れか１項に記載のジャンボカルタ用取り札と、読み札とからなることを特徴とする。耐久性及び安全性が高く、拾い上げ易いジャンボカルタ用取り札を用いてジャンボカルタを行えば、容易に進行を行うことができ、且つ安全性の高い遊戯具を提供することができる。
【考案の効果】
【００１７】
本考案によれば、ジャンボカルタ用取り札に厚みを持たせつつ軽量化を達成でき、また、耐久性が高く、安全性を向上させることができる。したがって、床に置かれた状態の取り札を容易に拾い上げることができ、何度使用しても劣化しにくく、安全性の高いジャンボカルタを提供することができる。
【図面の簡単な説明】
【００１８】
【図１】本考案の取り札の概略斜視図である。
【図２】本考案の取り札の実例を示す斜視図（Ａ）及び（Ｂ）である。
【図３】本考案の取り札が床に置かれた状態から手に取る様子を示す説明図である。
【図４】従来の取り札の概略斜視図である。
【考案を実施するための形態】
【００１９】
以下、図面を用いて本考案を詳細に説明する。図１は、本考案のジャンボカルタ用取り札の概略斜視図である。図２（Ａ）及び（Ｂ）は、それぞれ本考案のジャンボカルタ用取り札の実例を示す斜視図である。
【００２０】
本考案のジャンボカルタ用取り札１０は、平板略矩形状の発泡樹脂製の基板１２の一方の面に、取り札用絵柄の描かれたシート１４が設けられ、更に、そのシート１４の表面と、基板１２の他方の面には保護フィルム１６−１、１６−２がそれぞれ設けられている。ジャンボカルタ用取り札１０の大きさは、通常の手のひらサイズのカルタよりも大きく設定され、例えば、縦２０〜３０ｃｍ、横１５〜２０ｃｍに設定される。
【００２１】
上述したように、基板１２は発泡樹脂から構成される。発泡樹脂を用いることにより、取り札に厚みを持たせつつ軽量化を達成することができ、更に、耐久性を高め、軟質性を付与することができる。
【００２２】
発泡樹脂としては、例えば、ポリエチレン、ポリプロピレン、エチレン−酢酸ビニル共重合体、ポリスチレン等のポリオレフィン系樹脂の発泡体やポリウレタン樹脂の発泡体等を用いることができる。
【００２３】
これら発泡体の中でも、低温時においても軟質性・弾性が高く、紫外線により劣化しにくいことからエチレン−酢酸ビニル共重合体の発泡体を用いることが好ましい。
【００２４】
基板１２の厚さは従来の紙製の取り札よりも厚く設定する。ジャンボカルタ用取り札に厚みを持たせることにより、図３に示したように、取り札が床に置かれた状態であっても容易に手に取って拾い上げることができる。
【００２５】
具体的には、基板１２の厚さは２〜１０ｍｍとすることが好ましく、特に３〜５ｍｍとすることが好ましい。この厚さであれば、容易且つ確実に取り札を拾い上げることができる。２ｍｍより薄いと、従来のジャンボカルタ用取り札のように拾い上げることが難しくなる場合がある。１０ｍｍより厚いと持ち運びに不便となったり、収納時に嵩張ることがある。
【００２６】
絵柄が描かれたシート１４の材質としては、特に限定されるものはなく、紙製やプラスチック製を使用することができる。鮮明に絵柄を印刷することができることから、紙製のシートを用いることが好ましい。シート１４の基板１２への貼り付けは、接着剤を基板１２に塗布しその上からシート１４を貼り付けることにより行われる。本実施の形態では、絵柄が描かれたシート１４を貼り付けることにより、基板１２に絵柄を施しているが、基板１２に絵柄を直接印刷して絵柄を基板１２に施してもよい。
【００２７】
保護フィルム１６−１、１６−２としては、透明であるものであればどのようなものを用いてもよく、ポリプロピレンフィルム、ポリエチレンフィルム、ＰＥＴフィルム等を用いることができる。
【００２８】
保護フィルム１６−１、１６−２で取り札の最外面を被覆することにより、水や汗が付着しても容易に拭くことができ、汚れが付着しても容易に除去することができる。したがって、ジャンボカルタ用取り札の耐久性を更に向上させることができる。
【００２９】
上記フィルムの中でも、透明性に優れ、撥水性が高く、細菌やカビが繁殖しにくいことから、ポリプロピレンフィルムを使用することが好ましい。保護フィルム１６−１、１６−２は、シート１４の表面及び基板１２の裏面に、熱プレスなどで融着するか、あるいは接着剤により接着することにより設けることができる。
【００３０】
本考案の取り札１０はその四隅が丸みを持たせた形状とされている。子供は本発明の取り札のような軽い平板状のものを投げがちであるが、このような形状とすることにより、投げられた取り札の角が顔や体に当たっても怪我を負うことはない。したがって、更に安全性の高いジャンボカルタ用取り札を提供することができる。
【００３１】
本考案は、本考案のジャンボカルタ用取り札と、読み札とからなるジャンボカルタも提供する。読み札は、従来から通常のカルタで使用されているものでよい。
【００３２】
本考案は上記各実施の形態の構成に限定されるものではなく、考案の要旨の範囲内で種々の変形が可能である。例えば、別の絵柄が描かれたシートを基板の他方の面にも貼り付け、その上から保護フィルムを設けた構成としてもよい。
【産業上の利用可能性】
【００３３】
本考案のジャンボカルタ用取り札及びこれを用いたジャンボカルタによれば、怪我の恐れがなく、ジャンボカルタをより楽しむことができる。
【符号の説明】
【００３４】
１０  ジャンボカルタ用取り札
１２  基板
１４  シート
１６−１、１６−２  保護フィルム
５０  従来のジャンボカルタ用取り札
５２  厚紙
１００  床
【図１】
0003165233.tif 000003
【図２】
0003165233.tif 000004
【図３】
0003165233.tif 000005
【図４】
0003165233.tif 000006
【手続補正書】
【提出日】平成22年11月2日(2010.11.2)
【手続補正１】
【補正対象書類名】実用新案登録請求の範囲
【補正対象項目名】全文
【補正方法】変更
【補正の内容】
【実用新案登録請求の範囲】
【請求項１】
ジャンボカルタ用の取り札において、
厚みを１ｍｍよりも厚くして形成された発泡樹脂製の平板状の基板を有し、
該基板の少なくとも一方の表面に、取り札用絵柄を施したことを特徴とするジャンボカルタ用取り札。
【請求項２】
前記基板が、エチレン−酢酸ビニル共重合体の発泡体で構成されたことを特徴とする請求項１に記載のジャンボカルタ用取り札。
【請求項３】
前記基板の厚みが、２〜１０ｍｍであることを特徴とする請求項１又は２に記載のジャンボカルタ用取り札。
【請求項４】
前記取り札用絵柄は、前記基板の少なくとも一方の表面に、取り札用絵柄を描いたシートを貼り付けて形成されたことを特徴とする請求項１〜３の何れか１項に記載のジャンボカルタ用取り札。
【請求項５】
請求項１〜４の何れか１項に記載のジャンボカルタ用取り札の最外面が保護フィルムにて被覆されたことを特徴とするジャンボカルタ用取り札。
【請求項６】
前記保護フィルムは、ポリプロピレンフィルムであることを特徴とする請求項５に記載のジャンボカルタ用取り札。
【請求項７】
請求項１〜６の何れか１項に記載のジャンボカルタ用取り札と、読み札とからなるジャンボカルタ。
【手続補正２】
【補正対象書類名】明細書
【補正対象項目名】０００９
【補正方法】変更
【補正の内容】
【０００９】
上記課題を解決するため、本考案の請求項１に記載のジャンボカルタ用の取り札は、
厚みを１ｍｍよりも厚くして形成された発泡樹脂製の平板状の基板を有し、該基板の少なくとも一方の表面に、取り札用絵柄を施したことを特徴とする。